(57)【要約】【課題】排水口部材から排水が溢れることを抑制可能な排水口メッシュ部材を得る。【解決手段】排水口メッシュ部材４８は、排水口部材１８の排出部４０に取り付けられ、一方向から見て湾曲することで排出部４０の開口面積よりも面積が大きく設定されたメッシュ部５２を備えている。【選択図】図２
2019070267.tif 000002
【特許請求の範囲】
【請求項１】
排水口部材の排水流出口に取り付けられ、一方向から見て湾曲することで前記排水流出口の開口面積よりも面積が大きく設定されたメッシュ部を備えた排水口メッシュ部材。
【請求項２】
前記メッシュ部は、設置状態で鉛直方向から見て水平方向に湾曲している、請求項１に記載の排水口メッシュ部材。
【請求項３】
前記メッシュ部は、排水方向上流側に向けて凸状に湾曲している、請求項１または請求項２に記載の排水口メッシュ部材。  
【請求項４】
水平方向に向けて開口する前記排水流出口に取り付けられ、前記メッシュ部は水平方向に向けて形成され、前記メッシュ部の上側には、上方から流下する排水を前記メッシュ部の正面とは異なる方向へ流すリブが設けられている、請求項１〜請求項３の何れか１項に記載の排水口メッシュ部材。
【請求項５】
前記メッシュ部の孔は、複数の辺からなる多角形状とされ、一方の辺と他方の辺とで成す角度が鈍角に設定されている、請求項１〜請求項４の何れか１項に記載の排水口メッシュ部材。
【請求項６】
前記一方の辺と前記他方の辺とで形成される角部は湾曲している、請求項５に記載の排水口メッシュ部材。
【請求項７】
前記排水流出口に取り付けられる筒部を備え、前記筒部の排水方向上流側の端縁にメッシュ部が設けられ、前記メッシュ部により前記端縁の開口が覆われている、請求項１〜請求項６の何れか１項に記載の排水口メッシュ部材。
【発明の詳細な説明】
【技術分野】
【０００１】
本発明は、シンク等の排水口部材に取り付けられる排水口メッシュ部材に関する。
【背景技術】
【０００２】
キッチのシンクの底部には、シンクに流された排水を排水管へ排出するための凹状の排水口部材が設けられている。排水口部材として、側面に排水管に繋がる開口が設けられている排水口部材（例えば、特許文献１参照）が知られている。
排水口部材には、上部の開口部分を覆うようにゴミ受け用の捕集部材を取り付けているが、排水口部材の側面の開口に、捕集部材で除去できなかった異物を除去する平らなメッシュ部材を取り付ける場合がある。
【先行技術文献】
【特許文献】
【０００３】
【特許文献１】特開２０１５−１０１８７１号公報
【発明の概要】
【発明が解決しようとする課題】
【０００４】
ところで、排水口部材の下流側の排水管として、サイホン排水管を用いる場合がある。サイホン排水管は、サイホン力が発生するまでにタイムラグがあり、サイホン力が発生していない初期段階では、サイホン力が発生した場合に比較して単位時間当たりの排水量が少ない。
排水口部材の側面の開口に平らなメッシュ部材を取り付けた場合、メッシュ部材が排水の流れの抵抗となり、大量の排水を一度にシンクに流した場合、サイホン排水管にサイホン力が発生するまでの間、排水口部材から排水が溢れる場合がある。
【０００５】
本発明は上記事実を考慮し、排水口部材から排水が溢れることを抑制可能な排水口メッシュ部材の提供を目的とする。
【課題を解決するための手段】
【０００６】
請求項１に記載の排水口メッシュ部材は、排水口部材の排水流出口に取り付けられ、一方向から見て湾曲することで前記排水流出口の開口面積よりも面積が大きく設定されたメッシュ部を備えている。
【０００７】
請求項１に記載の排水口メッシュ部材では、排水が通過するメッシュ部が一方向から見て湾曲しており、これによってメッシュ部の面積が、排水流出口の開口面積よりも大きくなっている。このため、メッシュ部が湾曲していない場合に比較して、迅速に排水を通過させることができ、排水口部材から排水が溢れることを抑制することが可能となる。
【０００８】
請求項２に記載の発明は、請求項１に記載の排水口メッシュ部材において、前記メッシュ部は、設置状態で鉛直方向から見て水平方向に湾曲している。
【０００９】
請求項２に記載の排水口メッシュ部材では、メッシュ部が設置状態で鉛直方向から見て水平方向に湾曲しているため、鉛直方向に湾曲している場合に比較して、メッシュ部の表面を清掃し易い。なお、メッシュ部が鉛直方向に湾曲していると、下側が狭くなり、例えば、柄付きブラシのブラシ（清掃毛束）が届かない部分がでてきて清掃し難くなる。
【００１０】
請求項３に記載の発明は、請求項１または請求項２に記載の排水口メッシュ部材において、前記メッシュ部は、排水方向上流側に向けて凸状に湾曲している。
【００１１】
請求項３に記載の排水口メッシュ部材では、メッシュ部が、排水方向上流側に向けて凸状に湾曲している。言い換えれば、メッシュ部が、排水の流入側に向けて凸状に湾曲している。このため、メッシュ部が、排水方向上流側に向けて凹状に湾曲している場合に比較して、清掃がし易い。
【００１２】
請求項４に記載の発明は、請求項１〜請求項３の何れか１項に記載の排水口メッシュ部材において、水平方向に向けて開口する前記排水流出口に取り付けられ、前記メッシュ部は水平方向に向けて形成され、前記メッシュ部の上側には、上方から流下する排水を前記メッシュ部の正面とは異なる方向へ流すリブが設けられている。
【００１３】
請求項４に記載の排水口メッシュ部材は、排水口部材の水平方向に向けて開口する排水流出口に取り付けられる。一例として、シンクに排水が流されると、該排水は、シンクの底部、及び排水口部材の側面を伝わって排水口部材の底部に向けて流れ、排水口部材の底部に到った排水が排水流出口を介して排水口部材の外部へと排出される。
【００１４】
排水口メッシュ部材には、メッシュ部の上側に、上方から流下する排水をメッシュ部の正面とは異なる方向へ流すリブが設けられている。このため、多量の排水がシンクに流された場合、排水口部材の側面を伝わって流下する排水が流出口を塞がないように、リブがメッシュ部の正面とは異なる方向へ分散させる。これにより、排水口部材の底部の排水をスムーズに排水流出口に流入させて排水口部材の外部へ排出させることができる。
これにより、例えば、溜め流し排水をしたときのように、一度に多量の排水をシンクに流した場合であっても、排水口部材から排水が溢れ出ることを抑制することができる。
【００１５】
請求項５に記載の発明は、請求項１〜請求項４の何れか１項に記載の排水口メッシュ部材において、前記メッシュ部の孔は、複数の辺からなる多角形状とされ、一方の辺と他方の辺とで成す角度が鈍角に設定されている。
【００１６】
請求項５に記載の排水口メッシュ部材では、メッシュ部の孔が、複数の辺からなる多角形状とされ、一方の辺と他方の辺とで成す角度が鈍角、言い換えれば９０度を超える角度に設定されているため、メッシュ部の孔の角部が９０度以下の鋭角である場合に比較して、排水中の異物が角部に引っ掛かり難い。
【００１７】
請求項６に記載の発明は、請求項５に記載の排水口メッシュ部材において、前記一方の辺と前記他方の辺とで形成される角部は湾曲している。
【００１８】
請求項６に記載の排水口メッシュ部材では、メッシュ部の孔の一方の辺と他方の辺とで形成される角部が湾曲しているため、湾曲していない場合に比較して排水中の異物が角部に引っ掛かり難い。
【００１９】
請求項７に記載の発明は、請求項１〜請求項６の何れか１項に記載の排水口メッシュ部材において、前記排水流出口に取り付けられる筒部を備え、前記筒部の排水方向上流側の端縁にメッシュ部が設けられ、前記メッシュ部により前記端縁の開口が覆われている。
【００２０】
請求項７に記載の排水口メッシュ部材は、筒部を排水流出口に挿入することで、排水口メッシュ部材を排水流出口に取り付けることができる。
また、筒部の排水方向上流側の端縁にメッシュ部が設けられ、メッシュ部により端縁の開口が覆われている、即ち、筒部の内部にメッシュ部が設けられていないので、メッシュ部の表面に付着した異物を簡単に清掃することができる。
【発明の効果】
【００２１】
以上説明したように、本発明の排水口メッシュ部材によれば、排水口部材から排水が溢れることを抑制できる、という優れた効果を有する。
【図面の簡単な説明】
【００２２】
【図１】本発明の一実施形態に係る排水口メッシュ部材が適用されたサイフォン排水システムを示す概略構成図である。
【図２】排水口メッシュ部材が取り付けられた排水口部材を示す縦断面図である。
【図３】排水口メッシュ部材を示す正面側を斜め上から見た斜視図である。
【図４】排水口メッシュ部材を示す正面図である。
【図５】排水口メッシュ部材を示す背面図である。
【図６】排水口メッシュ部材を示す右側面図である。
【図７】排水口メッシュ部材を示す左側面図である。
【図８】排水口メッシュ部材を示す上面図（平面図）である。
【図９】排水口メッシュ部材を示す下面図（底面図）である。
【図１０】排水口メッシュ部材を示す背面側を斜め上から見た斜視図である。
【図１１】排水口メッシュ部材を示す軸線に沿った水平断面図（図４の１１−１１線断面図）である。
【図１２】排出部に挿入された排水口メッシュ部材を示す一部を断面にした右側面図である。
【図１３】排水の流れを示す排水口部材の排水口メッシュ部材の近傍の縦断面図である。
【図１４】他の実施形態に係る排水口メッシュ部材の孔を示す正面図である。
【発明を実施するための形態】
【００２３】
図１〜図１３を用いて、本発明の一実施形態に係る排水口メッシュ部材４８をについて説明する。図１は、本発明の一実施形態に係る排水口メッシュ部材４８を用いたサイフォン排水システム１０の全体構成を示す概略図である。
【００２４】
（サイフォン排水システムの構成）
サイフォン排水システム１０は、サイフォン力を利用して水廻り器具からの排水を効率よく排出する排水システムである。本実施形態では、サイフォン排水システムを、複数階で構成された集合住宅に用いた例について説明する。なお、サイフォン排水システムは、集合住宅に好適に用いられるが、集合住宅以外の戸建て住宅や工場等にも用いることができる。
【００２５】
図１に示すように、本実施形態に係るサイフォン排水システム１０は、排水を下方へ流す排水立て管１２を備えている。この排水立て管１２は、集合住宅の上下方向（縦方向）に延設され、集合住宅の各階の床スラブ１４を貫いている。
集合住宅の各階の各戸には、排水がなされる水廻り器具１６が設けられている。水廻り器具１６は、例えば、台所流し（シンク）で構成されている。なお、水廻り器具１６としては、台所流しに限らず、洗面台、洗濯機、ユニットバス及びトイレ等のいずれかで構成されていてもよい。
【００２６】
水廻り器具１６の底部に形成された排水口１７には排水口部材１８が取り付けられており、排水口部材１８の排水方向下流側には、配管２０、汚臭やガス等の逆流を防止するためのＳ字トラップ２２、配管２４、及びサイフォン排水管２６に接続されている。
【００２７】
サイフォン排水管２６は、床スラブ１４上に無勾配で設置されて横方向に延びる横引き管２８と、この横引き管２８と連通して排水立て管１２に沿って下方へ延びる竪管３０と、を有している。
【００２８】
なお、横引き管２８は、若干の勾配や逆勾配があってもよく、傾斜して横方向に配置される構成であってもよい。竪管３０は、排水立て管１２に配置された合流継手３２に接続されており、合流継手３２を介して排水立て管１２と連通している。
【００２９】
横引き管２８は、配管２４からの排水を横方向へ流し、竪管３０は、横引き管２８からの排水を流下させることによりサイフォン力を発生させる。横引き管２８内の排水には、竪管３０で発生するサイフォン水頭Ｈｓのエネルギーにより、排水方向へ向かうサイフォン力が作用される。
【００３０】
また、横引き管２８及び竪管３０は細くなれば、排水が満水の状態になりサイフォン力が発生しやすい一方、排水処理量が低下する。従って、横引き管２８及び竪管３０は、サイフォン力の発生のしやすさ及び必要な排水処理量を考慮した上で管の内径が設定され、例えば、２０Ａにされている。
【００３１】
（排水口部材の構成）
図２に示すように、排水口部材１８は、円筒部３４と、円筒部３４の下部を塞ぐ底部３６と、円筒部３４の上部に形成されるフランジ３８と、円筒部３４の底部側の側部に形成される管状の排出部４０とを備えている。なお、円筒部３４の上側の開口部分は、水廻り器具１６の排水が流入する流入口３５である。本実施形態の排水口部材１８の円筒部３４は、径寸法よりも高さ寸法が大きく形成されることで、一般の排水口部材よりも深さが深く、かつ容積が大きく形成されている。また、排出部４０は、円筒部３４よりも小径である。排水口部材１８の底部３６に排水が溜まらないように、排出部４０の内周面の下端と、円筒部３４の底部３６の上面とは高さが一致していることが好ましい。
【００３２】
円筒部３４の深さは、１７５〜２２５ｍｍの範囲内とすることが好ましい。
円筒部３４の容積は、２０００〜３０００ｃｍ３とすることが好ましい。
【００３３】
排水口部材１８のフランジ３８と水廻り器具１６の底部との間には、パッキン４２が挟まれており、円筒部３４の外周の一部に形成された雄螺子４４に環状のナット４６が締め込まれることで排水口部材１８が水廻り器具１６に取り付けられている。
【００３４】
（排水口メッシュ部材の構成）
円筒部３４の側面における排出部４０の開口部分である排水流出口４０Ａには、図３〜図１１に示す排水口メッシュ部材４８が挿入されている。排水口メッシュ部材４８は、排出部４０の内部に配置される筒部の一例としての円筒状の筒状本体５０を備えている。
【００３５】
図８の上面図で示すように、円筒状の筒状本体５０は、排水方向下流側（矢印Ｂ方向側）の端縁５０Ａが軸線ＣＬに対して直角に形成されており、排水方向上流側（矢印Ｆ方向側）の端縁５０Ｂが、一方向から見て、例えば、設置状態における鉛直方向から見て排水方向上流側へ向けて凸状となるように湾曲形状に形成されている。なお、端縁５０Ｂは、鉛直方向（湾曲する方向とは直交する方向）には真っ直ぐである（図３，６等参照）。
【００３６】
図３に示すように、筒状本体５０の排水方向上流側（矢印Ｆ方向側）の開口部分は、排水方向上流側へ向けて凸状となるように湾曲形状に形成されたメッシュ部５２で覆われている。言い換えれば、湾曲形状に形成されたメッシュ部５２の外周部分が、筒状本体５０の湾曲形状に形成された端縁５０Ｂに一体的に接合されている。本実施形態の排水口メッシュ部材４８は、合成樹脂で容易に成形することができる。
【００３７】
ここで、メッシュ部５２の面積とは、本実施形態では、筒状本体５０の裏側から見える部分（図５参照）を、平面状に展開したときの面積（図４の孔５４の部分と排水の通過しない部分５２Ａとを合わせた面積）のことである。
【００３８】
本実施形態のメッシュ部５２には、複数の孔５４が形成されている。図４の正面図で示すように、メッシュ部５２の孔５４は、複数の辺からなる多角形状とされ、互いに隣接する一方の辺と他方の辺とで成す角度θが鈍角に設定されていることが好ましい。本実施形態の孔５４は、外周側に配置される一部（５４Ａ）を除き、六角形に形成されている。本実施形態では、これらの孔５４が蜂の巣状に六角形が隙間無く配置されている。これにより、排水が通過する部分を最大限広くとることができる。
【００３９】
図１２に示すように、排水口メッシュ部材４８の筒状本体５０は、軸方向の中央部を境にして排水方向下流側の一部が排出部４０に挿入され、排水方向上流側が排水口部材１８の円筒部３４の内周面から円筒部３４の内部に向けて水平方向に突出している。
【００４０】
この筒状本体５０において、円筒部３４の内側に突出している排水方向上流側の部分で、かつ筒状本体５０の軸心よりも上側の部分（斜線で示す部分）５０Ｃが、リブに相当している。リブに相当する部分５０Ｃの円筒部３４の内周面からの突出長さＬに対して特に規定は無いが、装着時に、円筒部３４の内周面から５〜２５ｍｍ程度突出させることが好ましい。リブに相当する部分５０Ｃはメッシュ部５２よりも排水方向下流側に突出している。これにより、メッシュ部５２を清掃するときに、上から手を伸ばしてもリブに相当する部分５０Ｃが清掃の邪魔になることがない。
【００４１】
（作用、効果）
次に、本実施形態に係る排水口メッシュ部材４８の作用を説明する。
本実施形態に係るサイフォン排水システム１０では、水周り器具１６の排水は、排水口部材１８、配管２０、Ｓ字トラップ２２、及び配管２４を介してサイフォン排水管２６へ流れ込む。排水は、横引き管２８内を横方向へ流れ、その後、竪管３０を流下し、竪管３０におけるサイフォン水頭Ｈｓのポテンシャルエネルギーにより、サイフォン力が発生する。このサイフォン力により、排水が誘導されて排水の排出が促進される。
【００４２】
本実施形態の排水口メッシュ部材４８は、排水Ｗが通過するメッシュ部５２が湾曲しており、メッシュ部５２の面積が、排出部４０の排水流出口４０Ａの開口面積よりも大きくなっているため、メッシュ部５２が湾曲していない場合（平坦な場合）に比較して、迅速に排水Ｗを通過させることができる。これにより、排水口部材１８から排水が溢れることを抑制できる。
【００４３】
また、本実施形態の排水口メッシュ部材４８は、排水口部材１８の円筒部３４の内側へ向けて突出する部分５０Ｃが、円筒部３４の側面に開口する排水流出口４０Ａの正面側を上側から覆う様に設けられているため、多量の排水Ｗが水周り器具１６に流された場合であっても、排水口部材１８の円筒部３４の内側面を伝わって流下する排水Ｗが排出部４０の排水流出口４０Ａを塞がないように、流下する排水Ｗを図４、及び図１３の矢印Ａで示すようにリブ６０で分散させることができる。言い換えれば、排出部４０の排水流出口４０Ａの正面側において、排出部４０の排水流出口４０Ａに向けて流れ込もうとする排水Ｗ（図１３の矢印Ｂ方向）に対して、円筒部３４の内側面を伝わって流下する排水Ｗが干渉しないように本発明のリブに相当する部分５０Ｃは流下する排水Ｗの流れの向きを変更している。これにより、排水口部材１８の円筒部３４の底部の排水Ｗを、スムーズに排出部４０に流入させて排水口部材１８の外部へ排出させることができる。
【００４４】
これにより、例えば、溜め流し排水をしたときのように、一度に多量の排水を水周り器具１６に流した場合であっても、排水口部材１８からシンク内へ排水Ｗが溢れ出ることを抑制することができる。
【００４５】
また、排水口部材１８の内部に流入した排水Ｗの水位の上昇を抑えることができるので、図１３の矢印Ｃで示すように、下流側の配管内の空気を、排水口メッシュ部材４８の上側を介して排水口部材１８の内方へ向けてスムーズに排出させることができる。これにより、排水Ｗをよりスムーズに排水口部材１８の外部へ排出させることができる。
【００４６】
排水口メッシュ部材４８のメッシュ部５２は、排水口部材１８の内部に向けて水平方向のみに湾曲して凸状に突出しており、かつ、鉛直方向（湾曲する方向とは直交する方向）には真っ直ぐで、更には、筒状本体５０の排水方向上流側の端縁５０Ｂに一体的に設けられている。このため、排水口部材１８を上から見た時に、メッシュ部５２に影になるところが無い、即ち、上から見た時に異物が隠れるところが無く、メッシュ部５２に付着した異物を、排水口メッシュ部材４８を取り外すことなく排水口部材１８の上側から容易に清掃することができる。
【００４７】
メッシュ部５２の孔５４は、極一部を除き６角形であり、一方の辺と他方の辺とで成す角度が鈍角（一例として１２０度）に設定されているため、一方の辺と他方の辺とで成す角度が鋭角である場合に比較して、排水中の異物が角部に引っ掛かり難い。また、孔５４の形状を６角形にして蜂の巣状に配置することで、孔５４と孔５４との間の部分、言い換えれば、排水の通過しない部分５２Ａ（図４参照）の面積を最小限にすることができ、排水Ｗの通過抵抗を低減することができる。
【００４８】
本実施形態の排水口メッシュ部材４８は、排出部４０に対して着脱可能とされているので、排水口メッシュ部材４８を外して清掃することもできる。なお、排水口メッシュ部材４８は、排出部４０から取り外せない様に排出部４０に図示しない爪、接着剤等で固定してもよく、排水口部材１８に一体的に設けてもよい。
【００４９】
本実施形態の排水口メッシュ部材４８は、取り付け状態で、メッシュ部５２が水平方向に湾曲していたが、メッシュ部５２が鉛直方向に湾曲するように排出部４０に取り付けることもできる。
【００５０】
本実施形態の排水口メッシュ部材４８は、図６に示すように、メッシュ部５２が曲率半径Ｒとされた円弧形状に湾曲しているが、メッシュ部５２は、曲率半径の異なる複数の円弧で形成された湾曲形状であってもよく、複数の直線を連結して湾曲形状に近似させた形状であってもよい。
【００５１】
本実施形態の排水口メッシュ部材４８では、筒状本体５０の側面に孔が形成されていないが、一例として、図１３に左上がりの斜線で示す部分（筒状本体５０の中心軸よりも下側で、排水口部材１８の円筒部３４から突出している部分）５０Ｄに、メッシュ部５２の孔５４と同様の孔を形成してもよい。これにより、排水口メッシュ部材４８において、排水Ｗを通過させる部分を増やすことができ、より迅速に排水を行うことが可能となる。
【００５２】
本実施形態の排水口メッシュ部材４８は、メッシュ部５２が排水方向上流側に向けて凸形状となるように湾曲していたが、メッシュ部５２が排水方向上流側に向けて凹形状となるように湾曲していてもよい。
【００５３】
［その他の実施形態］
以上、本発明の一実施形態について説明したが、本発明は、上記に限定されるものでなく、上記以外にも、その主旨を逸脱しない範囲内において種々変形して実施可能であることは勿論である。
【００５４】
図１４に示すように、孔５４の一方の一辺と他方の辺とでなす角部を湾曲（曲率半径ｒ）させてもよい。これにより孔５４の角部が湾曲していない場合に比較して排水中の異物が孔５４の角部に引っ掛かり難くなる。
【符号の説明】
【００５５】
１８…排水口部材、３５…流入口、４０…排出部、４０Ａ…排水流出口、４８…異物捕捉メッシュ、５０…筒部、メッシュ部５２、５４…孔、５０Ｄ…部分（リブ）
【図１】
2019070267.tif 000003
【図２】
2019070267.tif 000004
【図３】
2019070267.tif 000005
【図４】
2019070267.tif 000006
【図５】
2019070267.tif 000007
【図６】
2019070267.tif 000008
【図７】
2019070267.tif 000009
【図８】
2019070267.tif 000010
【図９】
2019070267.tif 000011
【図１０】
2019070267.tif 000012
【図１１】
2019070267.tif 000013
【図１２】
2019070267.tif 000014
【図１３】
2019070267.tif 000015
【図１４】
2019070267.tif 000016